(57)【要約】【課題】  本発明は、架線への取り付け作業が容易且つ安全であり、しかも、架線に対する引下線の切り離し及び接続作業が容易である引下線用のコネクタを提供することを課題とする。【解決手段】  本発明は、架線と引下線とを電気的に接続する引下線用のコネクタであって、絶縁性を有し且つ架線を保持するコネクタ本体と、芯線が露出した引下線をコネクタ本体の内部で保持する保持部と、導電性を有し且つコネクタ本体内で引下線の芯線に接触する内部端子と、内部端子に電気的に接続され、架線の被覆への刺通により架線の被覆に接触する刺通端子とを備え、刺通端子は、架線の芯線側への移動に伴って架線の被覆に刺通する刺通部と、コネクタ本体内で該刺通部の移動をガイドするガイド部とを備え、内部端子が該ガイド部に対して電気的に接続される引下線用のコネクタである。【選択図】図３
2017224482.tif 000002
【特許請求の範囲】
【請求項１】
架線と引下線とを電気的に接続する引下線用のコネクタであって、絶縁性を有し且つ架線を保持するコネクタ本体と、末端部の芯線が露出し且つ該末端部がコネクタ本体の内部に配置された状態の前記引下線を保持する保持部と、導電性を有し且つ該保持部で保持する前記引下線の前記末端部の芯線に接触するようにして前記コネクタ本体の内部に設けられる内部端子と、導電性を有し且つ該内部端子に電気的に接続されるとともに、前記コネクタ本体に保持された前記架線の被覆に刺通することで前記架線の芯線に接触する刺通端子とを備え、該刺通端子は、前記架線の芯線に向かう移動に伴って前記架線の被覆に刺通するように構成される刺通部と、前記コネクタ本体の内部に設けられ且つ該刺通部の前記移動をガイドするガイド部とを備え、前記内部端子が該ガイド部に対して電気的に接続される引下線用のコネクタ。
【請求項２】
前記内部端子は、前記引下線の前記末端部の芯線を抜き挿し可能に構成され、且つ前記ガイド部に対して前記刺通部の移動方向に交差する方向に向けて突設される請求項１に記載の引下線用のコネクタ。
【請求項３】
防水性を有し且つ前記架線と前記刺通端子との間に配置されるシート部材を備え、前記刺通端子は、前記ガイド部によって前記架線に接近する方向にガイドされる被案内部と、該被案内部から延出し且つ該被案内部が前記架線に接近するに伴って該架線の被覆に刺通するように構成される接触子部とを有し、前記被案内部は、前記架線への接近に伴って該接触子部周りで前記シート部材を前記架線に向けて押圧する押圧部を有する請求項１又は請求項２に記載の引下線用のコネクタ。
【発明の詳細な説明】
【技術分野】
【０００１】
本発明は、架線と引下線とを接続するための引下線用のコネクタに関する。
【背景技術】
【０００２】
従来から、高圧電線や低圧電線等の架線に接続した引下線を電気設備につなぐことがあり、この場合、架線と引下線とを接続するための引下線用のコネクタが用いられている。
【０００３】
このようなコネクタとして、例えば、特許文献１に記載のような電線接続器具が提供されている。かかる電線接続器具は、導電性を有し且つ架線の芯線に引っ掛けるフック部と、導電性を有し且つ該フック部に対して接離可能であるとともに、引下線の芯線が固定されるように構成された押さえ部とを備えている。
【０００４】
前記電線接続器具を用いて架線に引下線を接続する場合、引下線の末端部の被覆を剥ぎ取って押さえ部に接続する作業と、架線の被覆を部分的に剥ぎ取って芯線を露出させる作業とが行われる。
【０００５】
そして、絶縁ヤットコ等を用いてフック部を架線の芯線に引っ掛ける。このようにすると、架線の芯線がフック部と押さえ部との間に介在した状態になるため、フック部に押さえ部を接近させると、架線の芯線が該フック部と該押さえ部とによって挟み込まれる。これにより、引下線が架線に対して電気的に接続される。
【０００６】
このように、前記電線接続器具は、導電性を有するフック部と押さえ部とで架線の芯線を挟み込むことによって、引下線を架線に接続できるようになっている（特許文献１参照）
【先行技術文献】
【特許文献】
【０００７】
【特許文献１】特開２０１０−１９８９００号公報
【発明の概要】
【発明が解決しようとする課題】
【０００８】
ところで、前記電線接続器具は、導電性を有するフック部と押さえ部とで架線の芯線を挟み込むことで引下線を架線に接続する構成であることから、架線の取付箇所の被覆を剥ぎ取って芯線を露出させる作業や、充電状態となるフック部及び押さえ部の絶縁処理（例えば、フック部や、押さえ部に絶縁性を有するカバーを取り付ける処理）が必要となるため、架線への取付作業が煩雑であり、しかも危険であった。
【０００９】
また、前記電線接続器具では、引下線の芯線が固定される押さえ部が架線と引下線とを電気的に接続する端子としての役割を担うため、引下線を架線から切り離して停電状態にする場合は、前記電線接続器具自体を架線から取り外すことになり、引下線を架線に再び接続して通電状態とする場合は、架線への取付作業を初めから行うことになる。
【００１０】
そのため、前記電線接続器具では、架線から引下線を切り離して停電状態にする作業や、引下線を架線に接続して通電状態にする通電作業も煩雑であった。
【００１１】
そこで、本発明は、斯かる実情に鑑み、架線への取り付け作業が容易且つ安全であり、しかも、架線に対する引下線の切り離し及び接続作業が容易である引下線用のコネクタを提供することを課題とする。
【課題を解決するための手段】
【００１２】
本発明の引下線用のコネクタは、架線と引下線とを電気的に接続する引下線用のコネクタであって、絶縁性を有し且つ架線を保持するコネクタ本体と、末端部の芯線が露出し且つ該末端部がコネクタ本体の内部に配置された状態の前記引下線を保持する保持部と、導電性を有し且つ該保持部で保持する前記引下線の前記末端部の芯線に接触するようにして前記コネクタ本体の内部に設けられる内部端子と、導電性を有し且つ該内部端子に電気的に接続されるとともに、前記コネクタ本体に保持された前記架線の被覆に刺通することで前記架線の芯線に接触する刺通端子とを備え、該刺通端子は、前記架線の芯線に向かう移動に伴って前記架線の被覆に刺通するように構成される刺通部と、前記コネクタ本体の内部に設けられ且つ該刺通部の前記移動をガイドするガイド部とを備え、前記内部端子が該ガイド部に対して電気的に接続される。
【００１３】
上記構成の引下線用のコネクタによれば、保持部によって引下線をコネクタ本体に保持し、コネクタ本体で架線を保持することで、引下線を架線に取り付けることができる。
【００１４】
また、前記引下線用のコネクタは、刺通部の移動（架線の芯線に向かう移動）をガイドするガイド部に対して内部端子が電気的に接続されているため、刺通部を架線の芯線に向けて移動させると該刺通部が架線の被覆に刺通することで芯線に接触する。これにより、架線と引下線とが刺通端子（刺通部及びガイド部）と内部端子とによって電気的に接続される。
【００１５】
さらに、前記引下線用のコネクタは、刺通端子がコネクタ本体の内部で架線の芯線に接触して導通し、内部端子がコネクタ本体の内部で引下線の芯線と接触して導通するため、架線と引下線とを電気的に接続した際に充電部がコネクタ本体から露出しないように構成されている。
【００１６】
このように、前記引下線用のコネクタは、刺通端子を架線の被覆に刺通させるため、架線の被覆を剥がすことなく架線と引下線とを電気的に接続でき、しかも、架線と引下線とを電気的に接続した状態で充電部を絶縁できる。
【００１７】
また、前記引下線用のコネクタは、保持部によってコネクタ本体の内部で保持した引下線が内部端子に接続されるように構成されており、さらに、該内部端子がガイド部に電気的に接続されているため、コネクタ本体の内部に設けられた内部端子から引下線を取り外すことで該引下線を架線から切り離して停電させることができ、引下線を前記内部端子に取り付けることで該引下線を架線に接続して通電させることができる。従って、前記引下線用のコネクタでは、内部端子に対して引下線を着脱することで、架線に対する引下線の切り離しと接続とを行うことができる。
【００１８】
本発明の引下線用のコネクタにおいて、前記内部端子は、前記引下線の前記末端部の芯線を抜き挿し可能に構成され、且つ前記ガイド部に対して前記刺通部の移動方向に交差する方向に向けて突設されてもよい。
【００１９】
かかる構成によれば、刺通部をガイド部でガイドして架線の被覆に刺通させて芯線に接触させれば、ガイド部から突設されている内部端子に引下線を挿し込んで通電状態にすることができ、内部端子から引下線を抜き取ることで停電状態にすることができる。このように、上記構成の引下線用のコネクタでは、内部端子に対する引下線の抜き挿しによって通電状態と停電状態とを容易に切り替えることができる。
【００２０】
本発明の引下線用のコネクタにおいて、防水性を有し且つ前記架線と前記刺通端子との間に配置されるシート部材を備え、前記刺通端子は、前記ガイド部によって前記架線に接近する方向にガイドされる被案内部と、該被案内部から延出し且つ該被案内部が前記架線に接近するに伴って該架線の被覆に刺通するように構成される接触子部とを有し、前記被案内部は、前記架線への接近に伴って該接触子部周りで前記シート部材を前記架線に向けて押圧する押圧部を有するようにしてもよい。
【００２１】
上記構成の引下線用のコネクタによれば、被案内部を架線に接近させることによって接触子部を該架線の被覆に刺通させると、シート部材が接触子部の周りで架線と押圧部とによって挟み込まれた状態になる。これにより、前記引下線用のコネクタでは、シート部材が接触子部の周囲で架線と押圧部とに密接するため、接触子部の周囲が止水される。
【発明の効果】
【００２２】
以上のように、本発明の引下線用のコネクタによれば、架線への取り付け作業が容易且つ安全であり、しかも、架線に対する引下線の切り離し及び接続作業が容易であるという優れた効果を奏し得る。
【図面の簡単な説明】
【００２３】
【図１】図１は、本発明の一実施形態に係る引下線用のコネクタの外観図である。
【図２】図２は、同実施形態に係る引下線用のコネクタの側面の部分断面図である。
【図３】図３は、同実施形態に係る引下線用のコネクタの縦断面拡大図である。
【図４】図４は、同実施形態に係る引下線用のコネクタにおけるホルダーの断面図であって、図１のＩＶ−ＩＶ線における断面図である。
【図５】図５は、同実施形態に係る引下線用のコネクタの縦断面拡大図であって、刺通端子の近傍の領域の縦断面拡大図である。
【図６】図６は、同実施形態に係る引下線用のコネクタの説明図であり、（ａ）は、コネクタ本体の挿込孔に引下線を挿し込んだ状態の説明図であり、（ｂ）は、保持部によって引下線をコネクタ本体に保持した状態の説明図である。
【図７】図７は、同実施形態に係る引下線用のコネクタの説明図であり、（ａ）は、カバーを閉じた状態の説明図であり、（ｂ）は、ホルダーにカバーを仮止めした状態の説明図であり、（ｃ）は、刺通端子を架線の芯線に導通させた状態の説明図である。
【図８】図８は、同実施形態に係る引下線用のコネクタの外観図であり、架線と引下線とを電気的に接続した状態の引下線用のコネクタの外観図である。
【発明を実施するための形態】
【００２４】
以下、本発明の一実施形態にかかる引下線用のコネクタ（以下、コネクタという）について、添付図面を参照しつつ説明する。コネクタは、図１に示すように、架線（例えば、高圧電線や、低圧電線等）ＣＡと引下線ＣＢとを接続するように構成されたものである。
【００２５】
なお、本実施形態に係るコネクタ１を取り付ける対象となる架線ＣＡは、図８に示すように、導電性を有する芯線ＣＡ１と、絶縁性を有し且つ該芯線ＣＡ１を覆う被覆ＣＡ２とを有するものである。また、引下線ＣＢも架線ＣＡと同様に、導電性を有する芯線ＣＢ１と、絶縁性を有し且つ該芯線ＣＢ１を覆う被覆ＣＢ２とを有するものである。
【００２６】
本実施形態に係るコネクタ１は、図１に示すように、絶縁性を有し且つ架線ＣＡを保持するコネクタ本体２と、末端部の芯線ＣＢ１が露出し且つ該末端部がコネクタ本体２の内部に配置された状態の引下線ＣＢを保持する保持部３と、導電性を有し且つ該保持部３で保持する引下線ＣＢの芯線ＣＢ１に接触するようにしてコネクタ本体２の内部に設けられる内部端子４と、コネクタ本体２に保持された架線ＣＡの被覆ＣＡ２に刺通することで架線ＣＡの芯線ＣＡ１に接触する刺通端子５と、防水性を有し且つコネクタ本体２を保持させている架線ＣＡと該刺通端子５との間に配置されるシート部材６とを備えている。
【００２７】
コネクタ本体２は、架線ＣＡを受けるホルダー２０と、該ホルダー２０に設けられ、該ホルダー２０で受けている架線ＣＡを覆うカバー２１とを有する。
【００２８】
ホルダー２０は、図２に示すように、架線ＣＡを配置するホルダー本体部２２と、該ホルダー２０に連続するベース部２３と、該ホルダー本体部２２に連続し且つカバー２１が連結される連結部２４と、カバー２１をホルダー２０に固定するためのロック部２５と、ホルダー本体部２２にシート部材６を取り付けるための取付部２６とを有する。
【００２９】
ホルダー本体部２２は、架線ＣＡの軸線と同方向に沿って延びるように形成されている。また、本実施形態では、ホルダー本体部２２全体が、架線ＣＡの外面形状に対応して湾曲している。すなわち、ホルダー本体部２２は、長手方向と同方向に沿って延びる軸線を中心とする周方向に沿って湾曲した形状となっており、該周方向における両端が離間している。
【００３０】
より具体的に説明すると、ホルダー本体部２２は、架線ＣＡの側方に配置される側壁部２２０と、該側壁部２２０に連続するとともに前記架線ＣＡの下方に配置される底壁部２２１とを有する。
【００３１】
側壁部２２０は、架線ＣＡの外面に対向する側周面２２０ａを有する。底壁部２２１は、側周面２２０ａに連続するとともに架線ＣＡの外面に対向する底周面２２１ａを有する。側壁部２２０の側周面２２０ａと底壁部２２１の底周面２２１ａとは、互いに連続することで一つの周面（以下、受面という）２２２を構成している。
【００３２】
さらに、底壁部２２１には、底周面２２１ａから内径方向に刺通端子５を突出させるための突出孔２２１ｂが形成されている（図３参照）。
【００３３】
ベース部２３は、ホルダー本体部２２の長手方向と同方向に延びている。また、ベース部２３の外面には、長手方向に沿って延びる複数の凸条と、長手方向に沿って延びる複数の凹条とが形成されており、該凸条と該凹条とが長手方向に直交する高さ方向で交互に並ぶように形成されている。そのため、ベース部２３の外面は、側面視においては、高さ方向で連続する波形状となっている。
【００３４】
本実施形態に係るベース部２３は、図３に示すように、刺通端子５が配置される端子設置部２３０と、内部端子４が配置される拡張配置部２３１と、引下線ＣＢが配置される引下線配置部２３２と、保持部４３を取り付けるための装着部２３３とを有する。なお、本実施形態に係るベース部２３では、端子設置部２３０と、拡張配置部２３１と、引下線配置部２３２と、装着部２３３とが一体的に形成されている。
【００３５】
端子設置部２３０は、下方に向けて開口する端子操作孔２３０ａと、該端子操作孔２３０ａに連通する端子用設置孔２３０ｂとが形成されている。
【００３６】
端子操作孔２３０ａは、ベース部２３の下端で開口するように形成されている。そして、端子操作孔２３０ａは、端子用設置孔２３０ｂよりも穴径が大きくなるように形成されている。
【００３７】
端子用設置孔２３０ｂは、突出孔２２１ｂに連通している。そのため、端子用設置孔２３０ｂは、ホルダー本体部２２の架線ＣＡを配置する領域に連通するように構成されている。
【００３８】
拡張配置部２３１は、ベース部２３の長手方向において端子設置部２３０に連続している。また、拡張配置部２３１には、端子用設置孔２３０ｂに連通する配置孔２３１ａが形成されている。
【００３９】
引下線配置部２３２は、ベース部２３の長手方向で端子設置部２３０と並ぶように形成されている。本実施形態に係る接続部には、ベース部２３の長手方向における一方側で開口するとともに、拡張配置部２３１の配置孔２３１ａに連通する挿込孔２３２ａが形成されている。
【００４０】
挿込孔２３２ａは、ベース部２３の長手方向における他方側の穴径が徐々に小さくなるように構成されている。すなわち、引下線配置部２３２は、ベース部２３の長手方向における全長に亘って穴径が一定となる長孔を画定する配置用周面２３２ｂと、該配置用周面２３２ｂに連続し、拡張配置部２３１の配置孔２３１ａ側に向かうにつれて穴径が徐々に小さくなるテーパー面２３２ｃとを有する。
【００４１】
装着部２３３には、下方に向けて開口するとともに挿込孔２３２ａに連通する保持操作孔２３３ｃが形成されている。保持操作孔２３３ｃは、挿込孔２３２ａに連通するねじ孔である出退孔２３３ｂと、該出退孔２３３ｂに連通してベース部２３の下面で開口する保持操作孔２３３ｃとで構成されている。
【００４２】
保持操作孔２３３ｃは、出退孔２３３ｂよりも穴径が大きくなるように形成されている。
【００４３】
連結部２４は、ホルダー本体部２２の外周面に立設されている。より具体的に説明すると、連結部２４は、ホルダー本体部２２の周方向における一方の端部（上端部）に形成されている。さらに、連結部２４には、ホルダー本体部２２の長手方向で貫通する軸孔２４０が形成されている。
【００４４】
本実施形態のホルダー２０では、ホルダー本体部２２に対して長手方向で間隔をあけてならぶ二つの連結部２４が形成されている。
【００４５】
ロック部２５は、図２に示すように、ベース部２３から延出する引掛部２５０と、ホルダー本体部２２から延出する係合部２５１とを有する。
【００４６】
引掛部２５０は、ホルダー本体部２２に対してカバー２１を仮止めできるように構成されている。
【００４７】
係合部２５１は、ベース部２３との間に隙間が形成されるようにしてホルダー本体部２２から下方側に向けて延出している。本実施形態に係る係合部２５１は、先端部側であるほどベース部２３から離れるように形成されている。
【００４８】
取付部２６は、受面２２２上に形成されている。また、本実施形態に係る取付部２６は、受面２２２との間にシート部材６を挿込可能となるように形成されている。
【００４９】
カバー２１は、ホルダー本体部２２に対して回動可能に連結されており、回動に伴って、ホルダー本体部２２の開放領域（ホルダー本体部２２の周方向における両端間の領域）を開閉するように構成されている。
【００５０】
本実施形態に係るカバー２１は、ホルダー本体部２２の開放領域を覆うカバー本体２７と、該カバー本体２７に連続するとともにホルダー本体部２２に対して回転可能に連結する回転連結部２８と、カバー本体２７に形成され且つホルダー本体部２２に固定可能な被ロック部２９とを有する。
【００５１】
カバー本体２７は、ホルダー本体部２２の長手方向と同方向に沿って延びている。また、本実施形態に係るカバー本体２７は、全体が長手方向と同方向に延びる軸線を中心とする周方向で湾曲した形状となっている。なお、本実施形態では、カバー本体２７の周方向における一端を基端とし、他端を先端として以下の説明を行うこととする。
【００５２】
これに伴い、カバー本体２７には、ホルダー本体部２２に配置されている架線ＣＡの外面を覆う内側湾曲面２７０であって、カバー本体２７の長手方向と同方向に延びる軸線を中心とする周方向に沿って湾曲する内側湾曲面２７０が含まれている。
【００５３】
また、カバー本体２７は、ホルダー本体部２２の開放領域を閉じている状態において、基端がホルダー本体部２２の上端部に突き当たり、先端がホルダー本体部２２の下端部に突き当たるように構成されている。
【００５４】
さらに、内側湾曲面２７０の曲率は、受面２２２の曲率よりも大きくなっている。
【００５５】
回転連結部２８は、カバー本体２７の長手方向で連結部２４と隣り合う位置に配置されている。また、回転連結部２８は、カバー本体２７の外周面に立設されている。本実施形態に係る回転連結部２８は、カバー本体２７の基端（カバー本体２７の周方向における一端）に形成されている。
【００５６】
さらに、回転連結部２８には、カバー本体２７の長手方向で貫通する長軸孔２８０が形成されている。長軸孔２８０は、楕円状の孔である。本実施形態に係る長軸孔２８０は、カバー本体２７の長手方向に直交する高さ方向における内径が、該長手方向と該高さ方向とに直交する奥行方向における内径よりも大きくなるように形成されている。
【００５７】
そして、回転連結部２８と連結部２４とは、長軸孔２８０と軸孔２４０とがカバー本体２７の長手方向で対応するように配置されている。
【００５８】
なお、本実施形態のカバー２１では、カバー本体２７の長手方向で間隔を空けて三つの回転連結部２８が配置されており、各回転連結部２８が該長手方向で連結部２４と隣り合うように配置されている（図３参照）。そして、連結部２４の軸孔２４０と回転連結部２８の長軸孔２８０とには、長尺な軸部材Ｐが挿通されている。
【００５９】
被ロック部２９は、カバー本体２７の先端から延出する操作片２９０と、該操作片２９０に形成され、引掛部２５０を掛止可能な掛止部２９１と、該操作片２９０から延出し、且つ係合部２５１と係合可能な係合爪２９２とを有する。
【００６０】
保持部３は、図３に示すように、引下線ＣＢの被覆ＣＢ２をコネクタ本体２に押し付けて該引下線ＣＢをコネクタ本体２に保持させるように構成されている。
【００６１】
本実施形態に係る保持部３は、ベース部２３の挿込孔２３２ａに出退可能に構成される出退部３０と、該出退部３０に連続する出退操作部３１と、コネクタ本体２に対する引下線ＣＢの保持状態を確認するための保持状態表示部３２とを有する。
【００６２】
出退部３０は、軸状に形成されており、外周面にねじ山が形成されている。また、出退部３０は、出退孔２３３ｂに螺合されており、軸線方向を中心として回転させることで、ベース部２３の挿込孔２３２ａに進出した状態と、ベース部２３の挿込孔２３２ａから退避した状態とに切り替わるように構成される。
【００６３】
出退操作部３１は、出退部３０の軸線方向における一端に連続している。出退操作部３１は、出退部３０よりも外形が大きくなるように形成されており、保持操作孔２３３ｃ内に配置されている。
【００６４】
保持状態表示部３２は、出退操作部３１の外側面に設けられている。
【００６５】
保持状態表示部３２は、出退部３０で引下線ＣＢをコネクタ本体２に押し付けていない状態においては、少なくとも一部が保持操作孔２３３ｃの下方側から露出するように構成されている。
【００６６】
また、保持状態表示部３２は、出退部３０で引下線ＣＢをコネクタ本体２に押し付けている状態においては、全体が保持操作孔２３３ｃ内に配置されるように構成されている。
【００６７】
なお、保持状態表示部３２は、出退操作部３１の外側面に彩色することで構成してもよいし、出退操作部３１の色とは異なる色を有する部材を貼り付けることで構成してもよい。
【００６８】
内部端子４は、図３、及び図４に示すように、弾性を有する金属製の板で形成されている。本実施形態に係る内部端子４は、引下線ＣＢの芯線ＣＢ１に当接させる導通接触部４０と、該導通接触部４０に連続し且つ刺通端子５に対して電気的に接続される接続端部４１と、引下線ＣＢの芯線ＣＢ１を導通接触部４０に当接させるようにして誘導する誘導端部４２とを有する。
【００６９】
導通接触部４０は、挿込孔２３２ａに対して引下線ＣＢを抜き差しする方向（以下、抜差方向という）に沿って延び且つ挿込孔２３２ａの孔中心と対応する位置に配置される接触面４００を有する。
【００７０】
接続端部４１は、導通接触部４０に対して傾斜した形状となっている。より具体的に説明すると、接続端部４１は、導通接触部４０から刺通端子５に向けて延出しており、導通接触部４０に連続する一端部側（基端部側）から刺通端子５に連続する他端部側（先端部側）になるにつれて挿込孔２３２ａの孔中心から離れるように傾斜している。
【００７１】
誘導端部４２も、導通接触部４０に対して傾斜した形状となっている。より具体的に説明すると、誘導端部４２は、導通接触部４０から挿込孔２３２ａに向けて延出しており、導通接触部４０に連続する一端部側（基端部側）から挿込孔２３２ａ側に向けて配置される他端部側（先端部側）になるにつれて挿込孔２３２ａの孔中心から離れるように傾斜している。
【００７２】
本実施形態に係るコネクタ１は、一対の内部端子４を備えており、該一対の内部端子４は、互いの接触面４００が当接するように配置されている。
【００７３】
これに伴い、各内部端子４の接続端部４１は、基端部側から先端部側になるにつれて互いの間隔が徐々に広がるように配置され、さらに、各内部端子４の誘導端部４２は、基端部側から先端部側になるにつれて互いの間隔が徐々に広がるように配置されている。
【００７４】
刺通端子５は、図３に示すように、架線ＣＡの芯線ＣＡ１に向かって移動するに伴って前記架線ＣＡの被覆ＣＡ２に刺通するように構成される刺通部５０と、コネクタ本体２に設けられ且つ該刺通部５０を前記架線ＣＡの芯線ＣＡ１に向かう移動をガイドするガイド部５１と、絶縁性を有し且つ刺通部５０に取り付けられている絶縁接続部５２と、刺通部５０を移動させるための導通操作部５３であって、該絶縁接続部５２に取り付けられている導通操作部５３と、刺通部５０と架線ＣＡとの導通状態を確認するための導通状態表示部５４とを有する。
【００７５】
刺通部５０は、図５に示すように、ガイド部５１によって架線ＣＡに接近する方向にガイドされる被案内部５００と、該被案内部５００から延出し且つ該被案内部５００が前記架線ＣＡに接近するに伴って該架線ＣＡの被覆ＣＡ２に刺通するように構成される接触子部５０１と、該接触子部５０１周りでシート部材６を架線ＣＡに向けて押圧する押圧部５０２とを有する。
【００７６】
被案内部５００は、円筒状であり、外周面にはねじ山が形成されている。被案内部５００の中心線方向における一端面は、架線ＣＡに向けて配置されている。
【００７７】
また、被案内部５００は、端子設置部２３０に取り付けられている状態において、前記一端面の中央部側が前記一端面の外周端部側よりもホルダー本体部２２（ホルダー本体部２２の架線ＣＡを配置する領域）側に突出するように形成されている。
【００７８】
接触子部５０１は、被案内部５００の一端面から前記中心線方向で延出している。接触子部５０１の長さは、架線ＣＡの被覆ＣＡ２の厚みよりも大きくなるように形成されている。そのため、接触子部５０１は、先端を架線ＣＡの芯線ＣＡ１に接触させている状態において、基端が被覆ＣＡ２の外側に配置されるように構成されている。
【００７９】
本実施形態に係る接触子部５０１は、先端を架線ＣＡの芯線ＣＡ１に接触させている状態において、基端の被覆ＣＡ２からの延出量がシート部材６の厚み以下となるように構成されている。
【００８０】
本実施形態に係る接触子部５０１は、円筒状であり、先端が鋭利になっている。すなわち、接触子部５０１の先端部は、刃となっている。
【００８１】
本実施形態の押圧部５０２は、被案内部５００の一端面によって構成されている。
【００８２】
ガイド部５１は、筒状であり内周面に雌ねじが形成されているガイド本体部５１０と、該ガイド本体部５１０の軸線方向における一端に連続し且つ該ガイド本体部５１０の外周面から突出するように構成される抜止部５１１とを有する。
【００８３】
ガイド本体部５１０は、端子用設置孔２３０ｂ内に固定されている。ガイド本体部５１０の軸線方向における一端は、突出孔２２１ｂ側に配置され、ガイド本体部５１０の軸線方向における他端は、端子操作孔２３０ａ側に配置されている。
【００８４】
また、ガイド本体部５１０の外面には、内部端子４の導通接触部４０が接続されている。これにより、刺通端子５と内部端子４とは、刺通部５０が架線ＣＡの芯線ＣＡ１に接触するに伴って互いに導通状態となるように構成されている。
【００８５】
抜止部５１１は、端子用設置孔２３０ｂに対してガイド本体部５１０の抜け止めを行うように構成されている。
【００８６】
本実施形態に係る抜止部５１１は、環状に形成されている。抜止部５１１の内径は、ガイド本体部５１０の内径と同一又は略同一に設定されている。そのため、刺通端子５では、刺通部５０を架線ＣＡに接近させたときに、該刺通部５０の接触子部５０１と押圧部５０２とが抜止部５１１内を通じて受面２２２の内側に進出するように構成されている。
【００８７】
絶縁接続部５２は、被案内部５００の軸線方向における他端面につながった状態で導通操作部５３内に埋設されている。そのため、刺通端子５では、導通操作部５３をガイド部５１内で回転させると、該導通操作部５３とともに刺通部５０及び刺通部５０も回転する。
【００８８】
導通操作部５３は、絶縁接続部５２を介して刺通部５０に取り付けられている。導通操作部５３は、絶縁接続部５２に外嵌される外嵌固定部５３０と、該外嵌固定部５３０に連続する操作用頭部５３１とを有する。
【００８９】
外嵌固定部５３０と、該外嵌固定部５３０に連続する操作用頭部５３１とは、端子操作孔２３０ａ内に配置されている。また、操作用頭部５３１は、刺通部５０と架線ＣＡの芯線ＣＡ１とが導通していない状態において全体又は略全体が端子操作孔２３０ａの下方側に配置され、刺通部５０と架線ＣＡの芯線ＣＡ１とが導通した状態においては、全体又は略全体が端子操作孔２３０ａ内に収容されるように構成されている。
【００９０】
導通状態表示部５４は、操作用頭部５３１の外側面に設けられている。また、導通状態表示部５４は、刺通部５０と架線ＣＡの芯線ＣＡ１とが導通していない状態においては、少なくとも一部が端子操作孔２３０ａの下方側から露出するように構成されている。
【００９１】
さらに、導通状態表示部５４は、刺通部５０と架線ＣＡの芯線ＣＡ１とが導通している状態においては、全体が端子操作孔２３０ａ内に配置されるように構成されている。
【００９２】
なお、導通状態表示部５４は、操作用頭部５３１の外側面に彩色することで構成してもよいし、操作用頭部５３１の色とは異なる色を有する部材を貼り付けることで構成してもよい。
【００９３】
シート部材６は、受面２２２（底周面２２１ａ）に沿わせて配置されている。また、シート部材６は、両面が粘着性を有するように構成されている。上述のように、シート部材６は、コネクタ本体２を保持させている架線ＣＡと該刺通端子５との間に配置されるように構成されており、本実施形態では、受面２２２のうちの突出孔２２１ｂを含む領域を覆うようにして配置されている。また、シート部材６は、外縁部の一部が受面２２２と固定部との間に挿し込まれている。
【００９４】
本実施形態に係るコネクタ１の構成は、以上の通りの構成である。続いて、本実施形態に係るコネクタ１の使い方について、添付図面を参照しつつ説明する。
【００９５】
コネクタ１で架線ＣＡと引下線ＣＢとを接続するにあたり、引下線ＣＢを内部端子４に電気的に接続し、保持部３によって該引下線ＣＢをコネクタ本体２に保持させる。
【００９６】
より具体的に説明すると、図６（ａ）に示すように、引下線ＣＢの芯線ＣＢ１を露出させた末端を先頭にして引下線ＣＢを挿込孔２３２ａに挿し込み、引下線ＣＢの芯線ＣＢ１を導通接触部４０の間に到達させる。このようにすると、引下線ＣＢの芯線ＣＢ１が一対の導通接触部４０に挟み込まれた状態になり、引下線ＣＢと内部端子４とが電気的に接続される。
【００９７】
この状態で、出退操作部３１を回転操作して出退部３０を出退孔２３３ｂにねじ込むと、図６（ｂ）に示すように、出退部３０の先端部が出退孔２３３ｂから挿込孔２３２ａ内に進出する。これにより、出退部３０の先端部が引下線ＣＢの被覆ＣＢ２に押し付けられると、引下線ＣＢの被覆ＣＢ２が該出退部３０と配置用周面２３２ｂとによって挟み込まれた状態となり、該引下線ＣＢを引下線配置部２３２に保持させた状態となる。
【００９８】
続いて、ベース部２３を絶縁ヤットコ等で掴み、受面２２２を長手方向の全長に亘って架線ＣＡの外面（被覆ＣＡ２）に沿わせるようにして配置する。これにより、ホルダー本体部２２内に架線ＣＡが配置される。
【００９９】
そして、別の絶縁ヤットコ等でカバー２１を回転操作し、該カバー２１によってホルダー本体部２２の開放領域を閉じる。このようにすると、コネクタ１は、図７（ａ）に示すように、ホルダー本体部２２の受面２２２と、カバー２１の内側湾曲面２７０とで架線ＣＡの周囲を取り囲んだ状態となる。
【０１００】
そして、図７（ｂ）に示すように、引掛部２５０を掛止部２９１に掛止することによって、カバー２１をコネクタ本体２に仮止めする。
【０１０１】
本実施形態に係るコネクタ１では、カバー２１が下方側に引っ張られると、軸部材Ｐが長軸孔２８０内の上部側に配置されるとともに、カバー本体２７の基端がホルダー本体部２２の上端部よりも下方側にずれた位置に配置された状態になる。
【０１０２】
コネクタ１によって、架線ＣＡと引下線ＣＢとを導通させるには、刺通端子５を架線ＣＡの芯線ＣＡ１に向かって移動させ、該刺通端子５を前記架線ＣＡの被覆ＣＡ２に刺通して芯線ＣＡに接触させる。
【０１０３】
より具体的に説明する。導通操作部５３を回転操作すると、該導通操作部５３とともに被案内部５００が回転し、これに伴い、被案内部５００がガイド本体部５１０によって架線ＣＡに向けて案内されて（架線ＣＡに向けて送られて）、接触子部５０１がシート部材６と架線ＣＡの被覆ＣＡ２とに刺入する。
【０１０４】
刺通部５０が架線ＣＡに向かって移動する際、接触子部５０１の周りで押圧部５０２がシート部材６を架線ＣＡに向けて押し上げる。これにより、接触子部５０１の周りでシート部材６が押圧部５０２と架線ＣＡの被覆ＣＡ２とによって圧縮され、シート部材６が接触子部５０１の周囲で架線ＣＡと押圧部５０２とに密接する。これにより、接触子部５０１の周囲が止水される。
【０１０５】
そして、接触子部５０１の先端が架線ＣＡの芯線ＣＡ１に到達（接触）すると、架線ＣＡの芯線ＣＡ１と、刺通端子５と、内部端子４とが電気的に接続され、これにより、架線ＣＡと引下線ＣＢとが電気的にも接続される。
【０１０６】
なお、本実施形態では、接触子部５０１の先端で架線ＣＡの芯線ＣＡ１を突き上げることによって、架線ＣＡを側壁部２２０の上端側に押し付けている。これに伴い、図７（ｃ）に示すように、架線ＣＡによって、ホルダー本体部２２の上端部よりも下方側にずれた位置に配置されていたカバー本体２７の基端が押し上げられ、カバー本体２７の基端がホルダー本体部２２の上端部と対応する位置に配置される。これにより、軸部材Ｐが長軸孔２８０内の下部側に配置された状態になるとともに、カバー本体２７全体が上方に移動する。
【０１０７】
そして、カバー本体２７の上方への移動に伴って、係合部２５１が係合爪２９２に係合する。
【０１０８】
コネクタ１では、ガイド本体部５１０に対する被案内部５００の締め込みを緩めなければ接触子部５０１が架線ＣＡから離れる方向に移動しないため、係合部２５１と係合爪２９２との係合が維持された状態となる。
【０１０９】
以上のようにして、図８に示すように、コネクタ１によって架線ＣＡと引下線ＣＢとが電気的に接続される。
【０１１０】
さらに、コネクタ１によって架線ＣＡに接続されている引下線ＣＢを該架線ＣＡから切り離す場合は、保持操作部を回転操作して出退部３０を引下線ＣＢから離れる方向に移動させれば、保持部３とコネクタ本体２による引下線ＣＢに対する保持が解除されるため、コネクタ本体２から引下線ＣＢを取り外すことができる。
【０１１１】
そして、一旦コネクタ本体２から外した引下線ＣＢを挿込孔２３２ａに挿し込み、該引下線ＣＢを保持部３によってコネクタ本体２に保持させれば、架線ＣＡと引下線ＣＢとを再び電気的に接続することができる。
【０１１２】
よって、コネクタ１は、架線ＣＡの芯線ＣＡ１を露出させずに架線ＣＡと引下線ＣＢとを電気的に接続でき、架線ＣＡと引下線ＣＢとが電気的に接続されたときに充電部の絶縁を図ることができるようになっており、さらには、架線ＣＡに対する引下線ＣＢの切り離しと接続とを行うこともできるため、架線ＣＡへの取り付け、及び架線ＣＡに対する引下線ＣＢの切り離しと接続とを容易に行うことができるという優れた効果を奏する。
【０１１３】
さらに、コネクタ１では、引下線ＣＢを保持した状態のコネクタ本体２を架線ＣＡに取り付けた後においては、刺通端子５を架線ＣＡの被覆ＣＡ２に刺通しなければ、架線ＣＡと刺通端子５及び内部端子４とが導通していない状態のままにしておくことができる。従って、コネクタ１は、引下線ＣＢをコネクタ本体２に仮止めしておき、作業者の意図するタイミングで架線ＣＡに刺通端子５及び内部端子４とを導通させて、架線ＣＡと引下線ＣＢとを電気的に接続することができる。
【０１１４】
また、内部端子４がガイド部５１に対して電気的に接続されているため、刺通部５０を動かしたとしても、刺通端子５と内部端子４とが常に電気的に接続された状態となっている。従って、架線ＣＡと引下線ＣＢとを電気的に接続した状態を確実に維持することができる。
【０１１５】
さらに、コネクタ１では、引下線配置部２３２が端子設置部２３０の端子用設置孔２３０ｂ側に向かうにつれて内径が徐々に小さくなるテーパー面２３２ｃを有するため、引下線ＣＢが挿込孔２３２ａに対して傾斜した状態で挿し込まれても、テーパー面２３２ｃによって引下線ＣＢの先端部が内部端子４側に案内される。
【０１１６】
また、内部端子４では、誘導端部４２が先端部側から基端部側になるにつれて挿込孔２３２ａの孔中心に対応する位置に向かうように傾斜しているため、挿通孔を通じて配置孔２３１ａに到達した引下線ＣＢの芯線ＣＢ１は、誘導端部４２によって導通接触部４０に向かうように案内される。
【０１１７】
このように、引下線ＣＢの芯線ＣＢ１がテーパー面２３２ｃによって位置合わせされた後に誘導端部４２によって導通接触部４０に当接するように案内されるため、引下線ＣＢの芯線ＣＢ１を内部端子４に対して電気的に接続し易くなる。
【０１１８】
さらに、本実施形態に係る保持部３では、出退操作部３１に対して、コネクタ本体２に対する引下線ＣＢの保持状態を確認するための保持状態表示部３２が設けられており、保持状態表示部３２が、出退部３０で引下線ＣＢをコネクタ本体２に押し付けていない状態（すなわち、引下線ＣＢに対する保持が解除されている状態）で少なくとも一部が保持操作孔２３３ｃの下方側から露出し、出退部３０で引下線ＣＢをコネクタ本体２に押し付けている状態（すなわち、引下線ＣＢを保持している状態）で全体が保持操作孔２３３ｃ内に配置されるように構成されている。そのため、コネクタ１では、引下線ＣＢのコネクタ本体２に対する保持状態を容易に確認できる。
【０１１９】
コネクタ１は、保持部３が引下線ＣＢの被覆ＣＢ２をコネクタ本体２に押し付けて該引下線ＣＢをコネクタ本体２に保持させるように構成されているため、保持部３を介して架線ＣＡや引下線ＣＢに流れる電流が外部に伝わることが防止される。
【０１２０】
また、コネクタ１では、保持部３が引下線ＣＢを保持している状態において、出退操作部３１全体が保持操作孔２３３ｃ内に収容されるように構成されているため、コネクタ１を架線ＣＡに取り付けた後に保持部３を介して架線ＣＡや引下線ＣＢに流れる電流が外部に伝わることが防止される。
【０１２１】
そして、本実施形態に係るコネクタ１では、操作用頭部５３１の外側面に対して刺通部５０と架線ＣＡとの導通状態を確認するための導通状態表示部５４が設けられており、該導通状態表示部５４が、刺通部５０と架線ＣＡの芯線ＣＡ１とが導通していない（すなわち、架線ＣＡと引下線ＣＢとが電気的に接続されていない状態）状態においては、少なくとも一部が端子操作孔２３０ａの下方側から露出し、刺通部５０と架線ＣＡの芯線ＣＡ１とが導通している状態（すなわち、架線ＣＡと引下線ＣＢとが電気的に接続されている状態）においては、全体が端子操作孔２３０ａ内に配置されるように構成されている。
【０１２２】
そのため、コネクタ１では、架線ＣＡと引下線ＣＢとの導通状態を容易に確認できる。
【０１２３】
コネクタ１は、導通操作部５３が絶縁接続部５２を介して刺通部５０に取り付けられているため、導通操作部５３を介して架線ＣＡや引下線ＣＢに流れる電流が外部に伝わることが防止される。
【０１２４】
また、コネクタ１では、架線ＣＡと引下線ＣＢとが電気的に接続されている状態において、導通操作部５３の略全体が端子操作孔２３０ａ内に収容されるように構成されているため、導通操作部５３を介して架線ＣＡや引下線ＣＢに流れる電流が外部に伝わることが防止される。
【０１２５】
さらに、コネクタ１では、接触子部５０１を架線ＣＡの被覆ＣＡ２に刺通させたときに、接触子部５０１の周囲で架線ＣＡと押圧部５０２とにシート部材６が密接するため、接触子部５０１の周囲が止水される。
【０１２６】
なお、本発明の引下線用のコネクタは、上記一実施形態に限定されるものではなく、本発明の要旨を逸脱しない範囲において種々変更を行うことは勿論である。
【０１２７】
上記実施形態において、ホルダー本体部２２の受面２２２とカバー本体２７の内側湾曲面２７０とは、架線ＣＡの軸線を中心とする周方向に沿って湾曲していたが、架線ＣＡを挟み込んで保持することができれば、湾曲した形状に限定されるものではない。
【０１２８】
上記実施形態の刺通端子５では、刺通部５０がガイド部５１を介して端子設置部２３０内に設置されていたが、この構成に限定されない。例えば、刺通部５０は、端子設置部２３０内に直接固定されていてもよい。この場合、端子設置部２３０の端子用設置孔２３０ｂをねじ孔とする等して、端子設置部２３０によって刺通部５０の架線ＣＡに向かう移動をガイドできるようにすればよい。
【０１２９】
上記実施形態において、接触子部５０１は、円筒状の刃で構成されていたが、この構成に限定されない。例えば、接触子部５０１は、針状に形成されていてもよい。但し、接触子部５０１は、円筒状の刃で構成されていれば、折れにくく、架線ＣＡの芯線ＣＡ１との接触面積を確保し易くなる。
【０１３０】
上記実施形態において、シート部材６は、両面が粘着性を有するように構成されていたが、接触子部５０１の周りの全周に亘って架線ＣＡと押圧部５０２とに密接するように構成されていれば、粘着性を有するものでなくてもよい。
【０１３１】
上記実施形態において、コネクタ１は、一対の内部端子４を備えていたが、この構成に限定されない。例えば、コネクタ１は、一つの内部端子４を備えていてもよい。なお、コネクタ１が一対の内部端子４を備えている場合は、引下線ＣＢの芯線ＣＢ１を一対の内部端子４で挟み込むことができるため、挿込孔２３２ａに挿し込んだ引下線ＣＢを一対の内部端子４によって仮止めすることができる。
【０１３２】
上記実施形態において、一対の導通接触部４０の接触面４００は、挿込孔２３２ａに引下線ＣＢが差し込まれていない状態において、互いに当接するように構成されていたが、この構成に限定されない。例えば、一対の導通接触部４０の接触面４００の間には隙間が形成されていてもよい。この場合、導通接触部４０の接触面４００の隙間（間隔）は、引下線ＣＢの芯線ＣＢ１の外径よりも小さくなるように設定されていればよい。すなわち、一対の導通接触部４０の接触面４００は、挿込孔２３２ａに挿し込まれた引下線ＣＢを挟み込めるようになっていればよい。
【０１３３】
上記実施形態では、架線ＣＡと引下線ＣＢとを接続する際に、引下線ＣＢをコネクタ本体２に保持させた後に、架線ＣＡにコネクタ本体２を保持させていたが、この構成に限定されない。例えば、架線ＣＡにコネクタ本体２を保持させた後に、引下線ＣＢをコネクタ本体２に保持させてもよい。
【符号の説明】
【０１３４】
１…コネクタ、２…コネクタ本体、３…保持部、４…内部端子、５…刺通端子、６…シート部材、２０…ホルダー、２１…カバー、２２…ホルダー本体部、２３…ベース部、２４…連結部、２５…ロック部、２６…取付部、２７…カバー本体、２８…回転連結部、２９…被ロック部、３０…出退部、３１…出退操作部、３２…保持状態表示部、４０…導通接触部、４１…接続端部、４２…誘導端部、４３…保持部、５０…刺通部、５１…ガイド部、５２…絶縁接続部、５３…導通操作部、５４…導通状態表示部、２２０…側壁部、２２０ａ…側周面、２２１…底壁部、２２１ａ…底周面、２２１ｂ…突出孔、２２２…受面、２３０…端子設置部、２３０ａ…端子操作孔、２３０ｂ…端子用設置孔、２３１…拡張配置部、２３１ａ…配置孔、２３２…引下線配置部、２３２ａ…挿込孔、２３２ｂ…配置用周面、２３２ｃ…テーパー面、２３３…装着部、２３３ａ…保持操作孔、２３３ｂ…出退孔、２３３ｃ…保持操作孔、２４０…軸孔、２５０…引掛部、２５１…係合部、２７０…内側湾曲面、２８０…長軸孔、２９０…操作片、２９１…掛止部、２９２…係合爪、４００…接触面、５００…被案内部、５０１…接触子部、５０２…押圧部、５１０…ガイド本体部、５１１…抜止部、５３０…外嵌固定部、５３１…操作用頭部、ＣＡ…架線、ＣＡ１…芯線、ＣＡ２…被覆、ＣＢ…引下線、ＣＢ１…芯線、ＣＢ２…被覆
【図１】
2017224482.tif 000003
【図２】
2017224482.tif 000004
【図３】
2017224482.tif 000005
【図４】
2017224482.tif 000006
【図５】
2017224482.tif 000007
【図６】
2017224482.tif 000008
【図７】
2017224482.tif 000009
【図８】
2017224482.tif 000010